(57)【要約】【課題】レンズ一体型監視カメラと交換型監視カメラの部品を共通化し、何れの監視カメラ用のレンズであっても光軸の調整が容易な、監視カメラの製造方法及び監視カメラを提供する。【解決手段】組込型レンズを装着したレンズ一体型監視カメラと交換レンズを着脱自在なレンズ交換型監視カメラの部品を共用し、レンズ一体型又はレンズ交換型の監視カメラを製造するための監視カメラの製造方法であって、センサー基板を準備する第１の工程と、遮光カバーを準備する第２の工程と、レンズホルダを準備する第３の工程と、レンズマウントを準備する第４の工程とを備え、さらに一体型監視カメラを組立てるための第５の工程又は外付型監視カメラを組立てるための第６の工程の組立工程を備える。遮光カバーは、前面側に位置決め凹部が形成される。レンズホルダは、板状部の背面に位置決め凹部に挿入される筒状部が形成される。【選択図】図３
2014102331.tif 000002
【特許請求の範囲】
【請求項１】
組込型レンズを装着したレンズ一体型監視カメラと交換型レンズを着脱自在なレンズ交換型監視カメラの部品を共用し、レンズ一体型監視カメラまたはレンズ交換型監視カメラを製造するための監視カメラの製造方法であって、
撮像センサーを実装したセンサー基板を準備する第１の工程と、
前記センサー基板の前面に配置され、その前面側には位置決め凹部が形成された遮光カバーを準備する第２の工程と、
前記遮光カバーの前面に配置され、その中央にレンズからの像を透過させる孔が形成された板状部を含み、板状部の背面には前記位置決め凹部に挿入される筒状部が形成されたレンズホルダを準備する第３の工程と、
前記遮光カバーと前記レンズホルダとの間に配置されるレンズマウントを準備する第４の工程とを備え、
前記レンズ一体型監視カメラを組立てるための第５の工程、または前記レンズ交換型監視カメラを組立てるための第６の工程の何れかの組立工程をさらに備え、
前記第５の工程では、
前記センサー基板の前面に前記遮光カバーを装着し、
前記レンズホルダの板状部の前面に前記組込型レンズを装着した状態で、当該レンズホルダの筒状部を前記レンズマウントに挿通し、
前記レンズホルダの筒状部を前記位置決め凹部に挿入することによって、光軸を合せた後に、
前記レンズマウントと前記センサー基板とを固定するように組立て、
一方、前記第６の工程では、
前記センサー基板の前面に前記遮光カバーを装着し、
前記レンズホルダの筒状部を前記レンズマウントに挿通した状態で、筒状部を前記位置決め凹部に挿入することによって、光軸を合せた後に、
前記レンズホルダと前記レンズマウントと前記センサー基板とを固定するように組立て、
その後、前記レンズホルダを取り外すことを特徴とする、監視カメラの製造方法。
【請求項２】
組込型レンズを装着したレンズ一体型監視カメラと交換型レンズを着脱自在なレンズ交換型監視カメラの部品を共用し、レンズ一体型監視カメラを製造するための監視カメラの製造方法であって、
撮像センサーを実装したセンサー基板を準備する第１の工程と、
前記センサー基板の前面に配置され、その前面側には位置決め凹部が形成された遮光カバーを準備する第２の工程と、
前記遮光カバーの前面に配置され、その中央にレンズからの像を透過させる孔が形成された板状部を含み、板状部の背面には前記位置決め凹部に挿入される筒状部が形成されたレンズホルダを準備する第３の工程と、
前記遮光カバーと前記レンズホルダとの間に配置されるレンズマウントを準備する第４の工程と、
前記レンズ一体型監視カメラを組立てるための第５の工程とを備え、
前記第５の工程では、
前記センサー基板の前面に前記遮光カバーを装着し、
前記レンズホルダの板状部の前面に組込型レンズを装着した状態で、当該レンズホルダの筒状部を前記レンズマウントに挿通し、
前記レンズホルダの筒状部を前記位置決め凹部に挿入することによって、組込型レンズの光軸を合せた後に、
前記レンズホルダと前記レンズマウントと前記センサー基板とを固定するように組立てることを特徴とする、監視カメラの製造方法。
【請求項３】
前記レンズ一体型監視カメラ及び前記レンズ交換型監視カメラは、前記遮光カバーの取り付けられた前記センサー基板を固定的に取り付けるための取付パネルを含み、
前記第５の工程では、前記レンズホルダに前記レンズマウントを固定した状態で、当該レンズマウントを前記取付パネルに固定することを特徴とする、請求項１または請求項２に記載の監視カメラの製造方法。
【請求項４】
組込型レンズを装着したレンズ一体型監視カメラと交換型レンズを着脱自在なレンズ交換型監視カメラの部品を共用し、レンズ交換型監視カメラを製造するための監視カメラの製造方法であって、
撮像センサーを実装したセンサー基板を準備する第１の工程と、
前記センサー基板の前面に配置され、その前面側には位置決め凹部が形成された遮光カバーを準備する第２の工程と、
前記遮光カバーの前面に配置され、その中央に交換型レンズからの像を透過させる孔が形成された板状部を含み、板状部の背面には前記位置決め凹部に挿入される筒状部が形成されたレンズホルダを準備する第３の工程と、
前記遮光カバーと前記レンズホルダとの間に配置されるレンズマウントを準備する第４の工程と、
前記レンズ交換型監視カメラを組立てるための第６の工程とを備え、
前記第６の工程では、
前記センサー基板の前面に前記遮光カバーを装着し、
前記レンズホルダの筒状部を前記レンズマウントに挿通した状態で、筒状部を前記位置決め凹部に挿入することによって、前記交換型レンズの光軸を合せた後に、
前記レンズマウントと前記センサー基板とを固定するように組立て、
その後、前記レンズホルダを取り出すことにより、当該レンズホルダを治具として用いて組立てることを特徴とする、監視カメラの製造方法。
【請求項５】
組込型レンズを装着したレンズ一体型監視カメラと交換型レンズを着脱自在なレンズ交換型監視カメラの部品を共用した、監視カメラであって、
撮像センサーを実装したセンサー基板、
前記センサー基板の前面に配置され、その前面側には位置決め凹部が形成された遮光カバー、
前記遮光カバーの前面に配置され、その中央に組込型レンズからの像を透過させる孔が形成された板状部を含み、板状部の背面には前記位置決め凹部に挿入される筒状部が形成されるレンズホルダ、および
前記遮光カバーと前記レンズホルダとの間に配置されるレンズマウントを備え、
前記遮光カバーは、前記センサー基板の前面に装着され、
前記レンズホルダは、前記板状部の前面に前記組込型レンズを装着した状態で、前記筒状部を前記レンズマウントに挿通し、
それによって、前記筒状部を前記位置決め凹部に挿入することによって、前記組込型レンズの光軸を合せ、さらに
前記レンズホルダと前記レンズマウントと前記センサー基板とが固定されることを特徴とする、監視カメラ。
【請求項６】
前記レンズ一体型監視カメラは、前記遮光カバーの取り付けられた前記センサー基板を取り付けるための取付パネルを含み、
前記レンズマウントは、前記レンズホルダに固着され、かつ前記取付パネルに固着されることにより、レンズマウントと前記センサー基板とが固定されることを特徴とする、請求項５に記載の監視カメラ。
【請求項７】
組込型レンズを装着したレンズ一体型監視カメラと交換型レンズを着脱自在なレンズ交換型監視カメラの部品を共用した、監視カメラであって、
撮像センサーを実装したセンサー基板、
前記センサー基板の前面に配置され、その前面側には位置決め凹部が形成された遮光カバー、
前記遮光カバーの前面に配置され、その中央にレンズからの像を透過させる孔が形成された板状部を含み、板状部の背面には前記位置決め凹部に挿入される筒状部が形成されたレンズホルダ、および
前記遮光カバーと前記レンズホルダとの間に配置されるレンズマウントを備え、
前記遮光カバーは、前記センサー基板の前面に装着され、
前記レンズホルダは、筒状部が前記レンズマウントに挿通された状態で、前記位置決め凹部に挿入されることによって、前記交換型レンズの光軸を合せ、前記レンズマウントと前記センサー基板を固定するように組立てた後、取り外されることにより、光軸調整のための治具として用いられる、監視カメラ。
【請求項８】
前記レンズ交換型監視カメラは、前記遮光カバーの取り付けられた前記センサー基板を固定的に取り付けるための取付パネルを含み、
前記レンズマウントは、前記取付パネルに固着されることにより、前記センサー基板と固定されることを特徴とする、請求項７に記載の監視カメラ。
【請求項９】
前記遮光カバーは、その略中央に、前記レンズ一体型レンズ又は前記交換型レンズによって撮像された画像の光を前記撮像センサーへ導くための窓が形成され、
前記位置決め凹部は、前記窓の周囲を囲むように、位置決め突起部を形成してなる、請求項５または請求項７に記載の監視カメラ。
【請求項１０】
前記レンズマウントと前記取付パネルには、対応する位置に複数の位置決め用のネジ穴が形成され、
前記レンズマウントと前記取付パネルとは、対応する位置関係となるようにネジで固定される、請求項６または請求項８に記載の監視カメラ。
【発明の詳細な説明】
【技術分野】
【０００１】
この発明は、監視カメラの製造方法および監視カメラに関し、特に組込型レンズが装着されるレンズ一体型監視カメラと、交換型レンズが着脱自在に装着されるレンズ交換型監視カメラの部品を共用した、監視カメラの製造方法および監視カメラに関する。
【背景技術】
【０００２】
監視カメラには、外観構造上分類すると、組込型レンズ（ボードレンズとも呼ばれる）を装着したボックス（型）カメラと、ドーム型カメラがある。ボックスカメラは、箱型形状のハウジングにレンズを収納したものであることから、ボックスカメラと呼ばれている。ボックスカメラは、ハウジング自体の取付角度を調節することによって、撮影方向等を調節するものであり、その代表的なものに特許文献１がある。
ドーム型カメラは、レンズをドーム型のカバーユニットで覆い、レンズだけを撮像方向（回転方向又は上下方向）に調節するもので、外部から監視カメラを意識させない特徴がある。
【０００３】
ところで、ボックスカメラには、組込型レンズを装着したレンズ一体型監視カメラ（ボードレンズカメラとも呼ばれる；特許文献１）と、交換型レンズを着脱自在なレンズ交換型監視カメラ（Ｃ／ＣＳマウントレンズを交換可能なボックスカメラ；特許文献２）がある。レンズ交換型監視カメラは、ユーザーが市販のＣ／ＣＳマウントレンズ（広角レンズ又は望遠レンズ等）の中から所望のレンズを選択して購入する。
これらの監視カメラは、基本的性能が同じであるが、外観形状等が異なるので、それぞれ個別に設計され、それぞれが専用の部品を用いて構成されかつ組立てられる。
また、ボックスカメラにおいて、レンズマウントを光軸方向に移動自在にして、光軸を調節する技術として、特許文献２がある。
【先行技術文献】
【特許文献】
【０００４】
【特許文献１】特開２０１２−１７３３３０号公報
【特許文献２】特開２０１０−２６６５４５号公報
【発明の概要】
【発明が解決しようとする課題】
【０００５】
特許文献１および特許文献２の技術を用いたボックスカメラは、基本的性能や機能が同じであっても、レンズ一体型監視カメラとレンズ交換型監視カメラがそれぞれの専用部品を用いて構成されているので、両機種を製造する場合に、部品点数が増え、部品在庫が増大し、組立て後の機種数も多くなり、コストアップの要因となる。
また、レンズ一体型監視カメラとレンズ交換型監視カメラは、部品の形状等が異なるだけでなく、光軸の調整方法も異なるので、両者の部品の共通化を困難にしている。
【０００６】
また、特許文献２の技術は、レンズマウントを光軸方向に移動自在にして、光軸を調節可能にしているが、組込型レンズと交換型レンズについて、共通の光軸の調整を行う技術ではない。そのため、監視カメラの設置現場において、周囲環境を考慮して、レンズ一体型監視カメラかレンズ交換型監視カメラの何れかを選択して設置することができず、周囲環境に応じて最適な監視カメラを選択することが困難である。
【０００７】
この発明の主たる目的は、レンズ一体型監視カメラとレンズ交換型監視カメラの部品を共通化するとともに、何れの監視カメラ用のレンズであっても光軸の調整が容易な、監視カメラの製造方法及び監視カメラを提供することである。
【０００８】
この発明の他の目的は、レンズ一体型監視カメラとレンズ交換型監視カメラの光学系の部品を共通化した設計をして、監視カメラの設置現場の環境に合せて適切なものを選択可能な、監視カメラの製造方法および監視カメラを提供することである。
さらに、この発明の他の目的は、レンズ一体型監視カメラとレンズ交換型監視カメラの部品を共通化することによって、部品点数を低減するとともに、部品在庫を削減し、製品価格のコストダウンを図れる、監視カメラの製造方法および監視カメラを提供することである。
【課題を解決するための手段】
【０００９】
第１の発明（請求項１に係る発明）は、組込型レンズを装着したレンズ一体型監視カメラと交換型レンズを着脱自在なレンズ交換型監視カメラの部品を共用し、レンズ一体型監視カメラまたはレンズ交換型監視カメラを製造するための監視カメラの製造方法であって、センサー基板を準備する第１の工程と、遮光カバーを準備する第２の工程と、レンズホルダを準備する第３の工程と、レンズマウントを準備する第４の工程とを備え、さらにレンズ一体型監視カメラを組立てるための第５の工程又はレンズ交換型監視カメラを組立てるための第６の工程の何れかの組立工程を備える。
第１の工程では、撮像センサーを実装したセンサー基板を準備する。第２の工程では、センサー基板の前面に配置され、その前面側には位置決め凹部が形成された遮光カバーを準備する。第３の工程では、遮光カバーの前面に配置され、その中央にレンズからの像を透過させる孔が形成された板状部を含み、板状部の背面には位置決め凹部に挿入される筒状部が形成されたレンズホルダを準備する。第４の工程では、遮光カバーとレンズホルダとの間に配置されるレンズマウントを準備する。
第５の工程では、センサー基板の前面に遮光カバーを装着し、レンズホルダの板状部の前面に組込型レンズを装着した状態で、当該レンズホルダの筒状部をレンズマウントに挿通する。そして、レンズホルダの筒状部を位置決め凹部に挿入する（または嵌めこむ）ことによって、光軸を合せた後（又は光軸調整した後）に、レンズホルダとレンズマウントとセンサー基板とを固定するように組立てる。
一方、第６の工程では、センサー基板の前面に遮光カバーを装着し、レンズホルダの筒状部をレンズマウントに挿通した状態で、筒状部を位置決め凹部に挿入する（または嵌めこむ）ことによって、光軸を合せた後（又は光軸を調整した後）に、レンズマウントとセンサー基板とを固定するように組立てる。その後、レンズホルダを取り外す。
【００１０】
第１の発明によれば、レンズ一体型監視カメラとレンズ交換型監視カメラの部品を共通化できるとともに、何れのタイプの監視カメラ用のレンズであっても光軸の調整が部品の組立てと同時にできるので、光軸の調整を容易に行うことのできる、監視カメラの製造方法が得られる。
【００１１】
第２の発明では、組込型レンズを装着したレンズ一体型監視カメラと交換型レンズを着脱自在なレンズ交換型監視カメラの部品を共用し、レンズ一体型監視カメラを製造するための監視カメラの製造方法であって、センサー基板を準備する第１の工程と、遮光カバーを準備する第２の工程と、レンズホルダを準備する第３の工程と、レンズマウントを準備する第４の工程と、レンズ一体型監視カメラを組立てるための第５の工程とを備える。
第１の工程では、撮像センサーが実装されたセンサー基板を準備する。第２の工程では、センサー基板の前面に配置され、その前面側には位置決め凹部が形成された遮光カバーを準備する。第３の工程では、遮光カバーの前面に配置され、その中央にレンズからの像を透過させる孔が形成された板状部を含み、板状部の背面には位置決め凹部に挿入される筒状部が形成されたレンズホルダを準備する。第４の工程では、遮光カバーとレンズホルダとの間に配置されるレンズマウントを準備する。
第５の工程では、センサー基板の前面に遮光カバーを装着し、レンズホルダの板状部の前面に組込型レンズを装着した状態で、当該レンズホルダの筒状部をレンズマウントに挿通する。レンズホルダの筒状部を位置決め凹部に挿入することによって、組込型レンズの光軸を合せた後（又は光軸を調整した後）に、レンズホルダとレンズマウントとセンサー基板とを固定するように組立てる。
これによって、レンズ一体型監視カメラとレンズ交換型監視カメラの部品を共通化できるとともに、組込型レンズを装着したレンズ一体型監視カメラの光軸の調整が容易に行える、レンズ一体型監視カメラの製造方法が得られる。
【００１２】
第３の発明では、第１または第２の発明において、レンズ一体型監視カメラが遮光カバーの取付けられたセンサー基板を固定的に取付けるための取付パネルを含む。そして、第５の工程において、レンズホルダとレンズマウントを取付パネルに固定することを特徴とする、監視カメラの製造方法である。
【００１３】
第４の発明では、組込型レンズを装着したレンズ一体型監視カメラと交換型レンズを着脱自在なレンズ交換型監視カメラの部品を共用し、レンズ交換型監視カメラを製造するための監視カメラの製造方法であって、センサー基板を準備する第１の工程と、遮光カバーを準備する第２の工程と、レンズホルダを準備する第３の工程と、レンズマウントを準備する第４の工程と、レンズ交換型監視カメラを組立てるための第６の工程とを備える。
第１の工程では、撮像センサーを実装したセンサー基板を準備する。第２の工程では、センサー基板の前面に配置され、その前面側には位置決め凹部が形成された遮光カバーを準備する。第３の工程では、遮光カバーの前面に配置され、その中央にレンズからの像を透過させる孔が形成された板状部を含み、板状部の背面には位置決め凹部に挿入される筒状部が形成されたレンズホルダを準備する。第４の工程では、遮光カバーとレンズホルダとの間に配置されるレンズマウントを準備する。
第６の工程では、センサー基板の前面に遮光カバーを装着し、レンズホルダの筒状部をレンズマウントに挿通した状態で、筒状部を位置決め凹部に挿入することによって、交換型レンズの光軸を合せる（又は光軸を調整する）。その後に、レンズマウントとセンサー基板とを固定するように組立て、レンズホルダを取り出すことにより、当該レンズホルダを治具として用いて組立てる。
これによって、レンズ一体型監視カメラとレンズ交換型監視カメラの部品を共通化できるとともに、交換型レンズを装着可能なレンズ交換型監視カメラの光軸の調整を容易に行うことができる、レンズ交換型監視カメラの製造方法が得られる。
【００１４】
第５の発明では、組込型レンズを装着したレンズ一体型監視カメラと交換型レンズを着脱自在なレンズ交換型監視カメラの部品を共用した、監視カメラであって、センサー基板と、遮光カバーと、レンズホルダと、レンズマウントと、組込型レンズとを備える。
センサー基板は、撮像センサーを実装する。遮光カバーは、センサー基板の前面に配置され、その前面側には位置決め凹部が形成される。レンズホルダは、遮光カバーの前面に配置され、その中央に組込型レンズからの像を透過させる孔が形成された板状部を含み、板状部の背面には位置決め凹部に挿入される筒状部が形成される。レンズマウントは、遮光カバーとレンズホルダとの間に配置される。
そして、遮光カバーは、センサー基板の前面に装着される。レンズホルダは、板状部の前面に組込型レンズを装着した状態で、筒状部をレンズマウントに挿通される。それによって、筒状部を位置決め凹部に挿入することによって、組込型レンズの光軸が合せられる（又は調整される）。さらに、レンズホルダとレンズマウントとセンサー基板とが固定される。
【００１５】
第６の発明によれば、第５の発明において、レンズ一体型監視カメラが、遮光カバーの取付けられたセンサー基板を取付けるための取付パネルを含む。レンズマウントは、レンズホルダに固着され、かつ取付パネルに固着されることにより、レンズマウントとセンサー基板とが固定される。
【００１６】
第７の発明では、組込型レンズを装着したレンズ一体型監視カメラと交換型レンズを着脱自在なレンズ交換型監視カメラの部品を共用した、監視カメラであって、センサー基板と、遮光カバーと、レンズマウントとを備える。
センサー基板は、撮像センサーを実装する。遮光カバーは、センサー基板の前面に配置され、その前面側には位置決め凹部が形成される。レンズホルダは、遮光カバーの前面に配置され、その中央にレンズからの像を透過させる孔が形成された板状部を含み、板状部の背面には位置決め凹部に挿入される（または嵌め込まれる）筒状部が形成される。レンズマウントは、遮光カバーとレンズホルダとの間に配置される。遮光カバーは、センサー基板の前面に装着される。レンズホルダの筒状部は、レンズマウントに挿通された（または嵌め込まれた）状態で、位置決め凹部に挿入される（または嵌め込まれる）ことによって、交換型レンズの光軸が調整される。レンズホルダは、レンズマウントとセンサー基板を固定するように組立てた後、取り外されることにより、光軸合せのための治具として用いられる。
【００１７】
第８の発明では、第７の発明において、レンズ交換型監視カメラが、遮光カバーの取付けられたセンサー基板を固定的に取付けるための取付パネルを含む。レンズマウントは、取付パネルに固着されることにより、センサー基板とともに固定される。
【００１８】
第９の発明では、第５または第７の発明において、遮光カバーは、その略中央に、組込型レンズ又は交換型レンズによって撮像された画像の光を撮像センサーへ導くための窓が形成される。位置決め凹部は、窓の周囲を囲むように、位置決め突起部を形成してなる。
これによって、レンズホルダの筒状部を位置決め凹部へ挿入し又は嵌め込むように組み立てる作業だけで、組込型レンズ又は交換型レンズの光軸を容易に調整することができる。
【００１９】
第１０の発明では、第６または第８の発明において、レンズマウントと取付パネルには、対応する位置に複数の位置決め用のネジ穴が形成され、レンズマウントと取付パネルとは、対応する位置関係となるようにネジで固定される。
【発明の効果】
【００２０】
この発明によれば、レンズ一体型監視カメラとレンズ交換型監視カメラの部品を共通化でき、光軸調整も共通化でき、光軸の調整を容易に行うことができる、監視カメラの製造方法および監視カメラが得られる。
【００２１】
また、この発明によれば、レンズ一体型監視カメラとレンズ交換型監視カメラの部品を共通化でき、光軸の調整の仕方も共通化でき、光軸調整の容易な監視カメラが得られる。
さらに、この発明によれば、レンズ一体型監視カメラとレンズ交換型監視カメラの部品を共通化しかつ光軸調整の仕方も共通化することによって、タイプの異なる２種類の監視カメラの製造において、部品点数を低減するとともに、部品の在庫負担や在庫管理の煩わしさを低減でき、製造コストを大幅に低減することが可能となる。
【図面の簡単な説明】
【００２２】
【図１】この発明の監視カメラの一実施形態であるレンズ一体型監視カメラの外観斜視図である。
【図２】レンズ一体型監視カメラの一部の部品の断面を含む側面図である。
【図３】レンズ一体型監視カメラの分解斜視図である。
【図４】図３の分解斜視図において一部の部品を破断して示した図である。
【図５】遮光カバーの拡大斜視図である。
【図６】この発明の監視カメラの他の実施形態であるレンズ交換型監視カメラの外観斜視図である。
【図７】図６の斜視図において部品を破断して示した図である。
【図８】レンズ交換型監視カメラの断面図である。
【図９】レンズ交換型監視カメラの分解斜視図である。
【図１０】レンズホルダを治具として用いて、レンズ交換型監視カメラの組立て段階を説明するための分解斜視図である。
【発明を実施するための最良の形態】
【００２３】
（実施例１）
（レンズ一体型監視カメラの構成およびその部品の具体的な構成）
図１はこの発明の一実施形態のレンズ一体型監視カメラの外観斜視図、図２はレンズ一体型監視カメラの一部の部品（センサー基板１２，遮光カバー１３，レンズマウント１４，レンズホルダ１５）の断面を含む側面図、図３はレンズ一体型監視カメラの分解斜視図、図４は図３における一部の部品（図２と同じ）を破断して示した図、図５は遮光カバーの拡大斜視図である。
次に、図１ないし図５を参照して、レンズ一体型監視カメラ１０の構成を説明する。
【００２４】
レンズ一体型監視カメラ１０は、撮像センサー１１を実装したセンサー基板１２と、遮光カバー１３と、レンズマウント１４と、レンズホルダ１５と、組込型レンズ１６とから構成される。これらのセンサー基板１２と遮光カバー１３とレンズマウント１４は、後述するレンズ交換型監視カメラ２０の部品と共用される。
また、レンズ一体型監視カメラ１０には、必要に応じて、取付パネル１７とハウジング１８が用いられる。
【００２５】
具体的には、センサー基板１２は、所望の回路パターンが形成され、その略中央に撮像センサー１１を実装している。撮像センサー１１は、例えばＣＣＤセンサー等が用いられ、組込型レンズ１６によって撮像された画像（又は映像）を電気的信号に変換するものである。
【００２６】
センサー基板１２の前面には、遮光カバー１３が装着される。遮光カバー１３は、図５に示すように、光を透過しない黒色等に着色された樹脂材料からなる円筒状の基部１３１を含む。
基部１３１には、正面から見た略中央に組込型レンズ１６によって撮像された画像を透過させるための窓１３２が形成されるとともに、窓１３２の周囲を囲むようにリング状の突起部１３３が形成される。そして、遮光カバー１３には、窓１３２の周りの基部１３１の前面部分と突起部１３３とによって、位置決め凹部（以下、「凹部」と略称することもある）１３４が形成される。この突起部１３３で囲まれる位置決め凹部１３４は、後述のレンズホルダ１５の筒状部１５３が挿入（または嵌め込み）可能なように、その内壁部分の形状が筒状部１５３の外径形状と略同形状に選ばれる。
【００２７】
このように、位置決め凹部１３４の内側形状（寸法）とレンズホルダ１５の筒状部１５３の外形形状を略同形状に選ぶことによって、筒状部１５３を遮光カバー１３の前面から位置決め凹部１３４へ嵌め込むだけで、組込型レンズ１６の光軸が窓１３２を通して撮像センサー１１の撮影範囲の略中心に適切に合うように、光軸を調整することが可能となる。
【００２８】
なお、図示では、位置決め凹部１３４が円形の窪みであり、レンズホルダ１５の筒状部１５３が円柱状の場合を示すが、凹部１３４を多角形（例えば８角形）の窪みとし、筒状部１５３を多角形（８角形）の柱状に形成してもよい。
また、突起部１３３は、リング状の形状に限られず、例えばレンズホルダ１５の筒状部１５３の周囲を囲みかつ筒状部１５３を嵌め込むことによって、レンズホルダ１５を位置決めして保持する形状（その結果として、レンズの光軸を調整可能）であれば、円周方向の複数（例えば、４〜８）個所で突出した円弧状又は板状でもよい。
【００２９】
遮光カバー１３の装着されたセンサー基板１２の前面には、必要に応じて、取付パネル１７が配置される。取付パネル１７は、四角形の正面部分１７１の周囲（上下左右の各辺）に、ハウジング１８に取付けるための取付片１７２ａ，１７２ｂ，１７２ｃ，１７２ｄを形成してなる。正面部分１７１には、その略中央に遮光カバー１３の突起部１３３を挿通するための孔１７３が形成される。各取付片１７２ａ〜１７２ｄには、ハウジング１８にネジ止めするためのネジ穴１７４が必要な数だけ形成される。各ネジ穴１７４には、タップネジ（雌ネジ）が形成される。
レンズマウント１４のＣＳリングホルダ１４１およびレンズホルダ１５の板状部１５１には、中心から等距離の位置（すなわち、同一円周上の位置）に、ネジの貫通可能な孔１４３及び孔１５４が２つ以上それぞれ形成される。また、取付パネル１７の正面部分１７１には、レンズマウント１４（及びレンズホルダ１５）の貫通孔１４３（１５４）を通じて、ネジ等で取付が可能なように、２つ以上の取付孔１７５がそれぞれ形成される。
取付孔１７５には、レンズホルダ１５の筒状部１５３にレンズマウント１４を挿通した状態で、レンズホルダ１５及びレンズマウント１４がネジ止め等によって固定的に取付けられる。
さらに、正面部分１７１の背面には、センサー基板１２を取付けるための複数のスペーサ１７７が形成されている。この複数のスペーサ１７７に対応して、センサー基板１２にはネジの径より少し大きめの孔が形成される。
そして、レンズホルダ１５の筒状部１５３を遮光カバー１３の凹部１３４に嵌め込むように、センサー基板１２が取付パネル１７の背面で位置決めされて、ネジ止めによって取付けられる。
すなわち、レンズホルダ１５の筒状部１５３を遮光カバー１３の凹部１３４に嵌め込むだけで、結果的に光軸の調整が行われることになる。
【００３０】
レンズマウント１４は、一般的には交換型レンズと監視カメラ本体（後述するレンズ交換型監視カメラ２０に相当する本体）を接続又は装着する機器であるが、本願ではレンズ一体型監視カメラ１０の組込型レンズ１６がレンズホルダ１５に固定（又は固着）された状態で装着するためにも用いられる。
このレンズマウント１４は、それぞれがリング形状のＣＳリングホルダ（又は第１のレンズマウント）１４１と、ＣＳリング（又は第２のレンズマウント）１４２とからなる。
【００３１】
ＣＳリングホルダ１４１は、ＣＳリング１４２をねじ込みによって保持した状態で、取付パネル１７に固定するものである。そのため、ＣＳリングホルダ１４１の内径がＣＳリング１４２の外径に略等しく選ばれるとともに、ＣＳリングホルダ１４１の内周面（又は内壁面）には雌ネジが形成され、ＣＳリング１４２の外周面（又は外壁面）にはＣＳリングホルダ１４１の雌ネジに螺合する雄ネジが形成される。これによって、ＣＳリング１４２のねじ込み量を調節自在に構成することによって、フランジバックの調節を可能にしている。
また、ＣＳリング１４２の内周面（又は内壁面）は、交換型レンズ（図示せず）が嵌め込み式の場合はそれに嵌合するような形状の嵌め込み構造とされる。なお、交換型レンズ（図示せず）がねじ込み式の場合は、ねじ込んで装着するための雌ネジを形成したものが選ばれる。
【００３２】
ＣＳリングホルダ１４１の正面には、取付パネル１７に形成された複数の取付孔１７５に対応する位置（例えば三角形の頂点の位置）に、孔１４３が形成される。また、ＣＳリングホルダ１４１の外周側面（又は円周面）には、ネジ等で固定するための固定用孔（図示せず）が形成される。当該孔より、ネジを用いてＣＳリング１４２をＣＳリングホルダ１４１に固定する。
【００３３】
レンズホルダ１５は、円板等の板状部１５１を含む。板状部１５１には、正面から見て略中央に大きな孔１５２が形成され、その背面に孔１５２の周囲を囲むように円筒部１５３が形成される。円筒部１５３の内径部分は、組込型レンズ１６の嵌合支持部１６１の外径寸法及び形状が略等しく選ばれる。円筒部１５３の周面は、嵌合支持部１６１を嵌合して組込型レンズ１６を固定的に保持するために、嵌合支持部１６１と嵌り合う構造に構成される。
また、レンズホルダ１５の正面部分には、ＣＳリングホルダ１４１に形成された複数の孔１４３に対応する位置に、固定用ネジ（図示せず）を挿通するための複数の孔１５４が板状部１５１の厚み方向に形成される。
【００３４】
組込型レンズ１６は、正面から見て背面側に嵌合支持部１６１を形成している。嵌合支持部１６１の前面には、嵌合支持部１６１に対して円周方向に移動自在な筒部１６２が設けられる。筒部１６２には、レンズ１６３を収納した筒部１６４が円周方向に移動自在に支持される。
筒部１６２の外周面には、倍率を調節するための倍率調節レバー１６５が形成される。筒部１６４の外周面には、レンズの焦点距離を調節するための焦点調節レバー１６６が形成される。
【００３５】
ハウジング１８は、図２の二点鎖線で示すように、前面に開口部を形成したボックス状であって、背面から蓋部材で蓋をするように構成される。このハウジング１８は、内部に収納する基板等のサイズや製品仕様等に応じて、適宜の大きさの形状のものが選択される。
【００３６】
なお、レンズ一体型監視カメラ１０は、ハウジング１８のない状態（ハウジングに収納していない図１の状態）で販売し、ユーザーが所望の形状，大きさ又は色のハウジングを選択するようにしてもよい。
【００３７】
（レンズ一体型監視カメラ１０の製造方法）
次に、図３及び図４を参照して、その部品であるセンサー基板１２，遮光カバー１３，レンズマウント１４，レンズホルダ１５，組込型レンズ１６およびハウジング１７を組み立てることにより、レンズ一体型監視カメラ１０を製造する方法を説明する。
【００３８】
第１の工程では、上述のように構成されたセンサー基板１２が準備される。すなわち、センサー基板１２は、その前面に撮像センサー１１が実装される。このセンサー基板１２は、後述のレンズ交換型監視カメラ２０と共用される。
第２の工程では、上述のように構成された遮光カバー１３が準備される。すなわち、遮光カバー１３は、位置決め凹部１３４が形成されており、センサー基板１２の前面に配置されかつ装着される。このセンサー基板１２は、レンズ交換型監視カメラ２０と共用される。
第３の工程では、上述のように構成されたレンズホルダ１５が準備される。すなわち、レンズホルダ１５は、その中央に後述の組込型レンズ１６からの画像を透過させる孔１５２が形成された板状部１５１を含み、板状部１５１の背面には位置決め凹部１３４に挿入される筒状部１５３が形成される。
第４の工程では、上述のように構成されたレンズマウント１４が準備される。すなわち、レンズマウント１４は、ＣＳリングホルダ１４１とＣＳリング１４２とを含み、ＣＳリング１４２がＣＳリングホルダ１４１にねじ込まれて、両者を一体のものとして構成する。このレンズマウント１４は、レンズ交換型監視カメラ２０と共用される。
【００３９】
なお、第１の工程ないし第４の工程は、各部品の準備の工程であるので、それぞれの準備の順序又はその前後は問題でなく、後述の第５の工程（組立工程）に先だって、全ての部品を準備しておく（すなわち、第１の工程ないし第４の工程の準備を完了しておく）ことが必要である。
【００４０】
上述の第１の工程ないし第４の工程の後、組立工程である第５の工程が行われる。
すなわち、第５の工程では、センサー基板１２には、遮光カバー１３が装着される。また、組込型レンズ１６がレンズホルダ１５の板状部１５１の前面に装着される。
ＣＳリング１４２がＣＳリングホルダ１４１にねじ込まれて、所定のねじ込量に調節された後、ＣＳリングホルダ１４１とＣＳリング１４２とがその側面から固定用ネジでネジ止めされて固定される。
組込型レンズ１６の装着されたレンズホルダ１５の筒状部１５３がレンズマウント１４のＣＳリング１４２に嵌め込まれることによって、当該レンズマウント１４とレンズホルダ１５とが固定される。そして、レンズホルダ１５とレンズマウント１４とが取付パネル１７にネジ止めによって固定される。
さらに、遮光カバー１３の位置決め凹部１３４に対してレンズホルダ１５１の筒状部１５３を嵌め込むように、遮光カバー１３の装着されたセンサー基板１２が取付パネル１７の背面で位置決めされて、スペーサ１７７を介して取付パネル１７の背面にネジ止めにより固定される。
このとき、レンズホルダ１５１の筒状部１５３を遮光カバー１３の凹部１３４に嵌め込むだけで、結果的に組込型レンズ１６の光軸が撮像センサー１２１の撮像範囲の中心となるように、光軸調整されることになる。
【００４１】
従って、取付パネル１７の前面には、組込型レンズ１６の装着されたレンズホルダ１５とレンズマウント１４とが固着され又は取付けられる。また、取付パネル１７の背面には、遮光カバー１３の装着されたセンサー基板１２が固着され又は取付けられる。このようにして組み立てられたレンズ交換型監視カメラ２０が、図６に示される。
【００４２】
すなわち、レンズ一体型監視カメラ１０の製造・組立てにおいては、レンズホルダ１５の複数の孔１５４とレンズマウント１４の複数の孔１４３と取付パネル１７の複数の取付孔１７５のそれぞれが対応位置となるように位置決めしてネジ止めされる。また、レンズホルダ１５の筒状部１５３を遮光カバー１３の位置決め凹部１３４に嵌め込むように、センサー基板１２が位置決めされて取付パネル１７の背面に取り付けられる。
それによって、組込型レンズ１６の光軸の中心がレンズホルダ１５，レンズマウント１４及び遮光カバー１３の窓１３２の中心軸と一致することになり、組込型レンズ１６の光軸が調整されるので、光軸の調整を容易かつ迅速に行うことができる。
【００４３】
なお、上述のレンズ一体型監視カメラ１０の構成の説明および／または製造方法の説明では、取付パネル１７を用いて、センサー基板１２とレンズマウント１４およびレンズホルダ１５を両面から取付ける場合を説明したが、取付パネル１７を用いずに取付けてもよい。
例えば、スペーサ等を用いてレンズマウント１４をセンサー基板１２に直接取付けるとともに、ハウジング１８に直付けするための取付金具（例えばＬ字状金具）をセンサー基板１２の周辺（４辺）に固着し、ハウジング１８の壁面から取付金具にネジ止めしても良い。
【００４４】
（実施例２）
（レンズ交換型監視カメラの構成とその部品の構成）
図６はこの発明の他の実施形態のレンズ交換型監視カメラの外観斜視図、図７は図６の斜視図において部品を破断して示した図、図８はレンズ交換型監視カメラの断面図、図９はレンズ交換型監視カメラの分解斜視図である。
【００４５】
次に、図６ないし図９を参照して、本願発明の他の実施例のレンズ交換型監視カメラ２０の構成を説明する。
レンズ交換型監視カメラ２０は、撮像センサー１１を実装したセンサー基板１２と、遮光カバー１３と、レンズマウント１４とから構成される。これらのセンサー基板１２と遮光カバー１３とレンズマウント１４とは、上述のレンズ一体型監視カメラ１０の部品と共用される。換言すると、レンズ交換型監視カメラ２０は、上述のように、組込型レンズ１６とレンズホルダ１５を除く部品がレンズ一体型監視カメラ１０の対応する部品と共用される。
従って、共用されるレンズ交換型監視カメラ２０の部品は、レンズ一体型監視カメラ１０の部品と同一の構成なので、同じ部品は同一参照符号で付し、その詳細な説明を省略する。
また、レンズ交換型監視カメラ２０には、必要に応じて、取付パネル１７とハウジング１８が用いられる。これらの部品も、レンズ一体型監視カメラ１０の対応する部品と共用される。
【００４６】
一方、レンズ一体型監視カメラ１０の構成部品の１つであるレンズホルダ１５は、レンズ交換型監視カメラ２０を構成する部品ではないが、同一の構造の物が交換型レンズの光軸を調整する治具として用いられるものであり、レンズ交換型監視カメラ２０の製造又は組立て完了後の段階において取り外される。
【００４７】
図１０はレンズ交換型監視カメラを製造する（又は組立てる）場合において、レンズホルダ１５を治具として用いることによって、交換型レンズの光軸を調整する場合を説明するための図である。すなわち、レンズホルダ１５は、レンズ交換型監視カメラ２０を組立てる段階において光軸調整の治具として用いた後に、レンズマウント１４から取り外される。
【００４８】
（レンズ交換型監視カメラ２０の製造方法又はその組立て）
次に、図１０を参照して、レンズホルダ１５を治具として用いることにより、その部品であるセンサー基板１２，遮光カバー１３，レンズマウント１４，取付パネル１７およびハウジング１８を組立てること、すなわちレンズ交換型監視カメラ２０を製造する方法を具体的に説明する。
【００４９】
第１の工程では、上述のレンズ一体型監視カメラ１０の構成と同様のセンサー基板１２が準備される。すなわち、センサー基板１２は、その前面に撮像センサー１１が実装される。このセンサー基板１２は、上述のレンズ一体型監視カメラ１０と共用される。
第２の工程では、上述のレンズ一体型監視カメラ１０の構成と同様の遮光カバー１３が準備される。すなわち、遮光カバー１３は、位置決め凹部１３４が形成されており、センサー基板１２の前面に配置されかつ装着される。このセンサー基板１２は、レンズ一体型監視カメラ１０と共用される。
第３の工程では、上述のレンズ一体型監視カメラ１０の構成と同様のレンズホルダ１５が準備される。すなわち、レンズホルダ１５は、その中央に後述のレンズ１６３からの画像を透過させる孔１５２が形成された板状部１５１を含み、板状部１５１の背面には位置決め凹部１３４に挿入される筒状部１５３が形成される。但し、このレンズホルダ１５は、上述したようにレンズ交換型監視カメラ２０の構成部品ではなく、光軸調整のための治具として用いられる。
第４の工程では、レンズ一体型監視カメラ１０の構成と同様のレンズマウント１４が準備される。すなわち、レンズマウント１４は、ＣＳリングホルダ１４１とＣＳリング１４２とを含み、ＣＳリング１４２がＣＳリングホルダ１４１にねじ込まれて、両者を一体のものとして構成する。このレンズマウント１４は、レンズ一体型監視カメラ１０と共用される。
【００５０】
なお、第１の工程ないし第４の工程は、レンズ一体型監視カメラ１０を製造する場合と同様に、各部品の準備の工程であるので、それぞれの準備の順序（又は前後）は問題でなく、後述の第６の工程（組立工程）に先だって、全ての部品を準備しておけば足りる。
【００５１】
上述の第１の工程ないし第４の工程の後、第６の工程である組立工程が行われる。換言すれば、レンズ交換型監視カメラ２０の組立て段階では、レンズ一体型監視カメラ１０に含まれる第５の工程の代わりに、第６の工程が行われることになる。
すなわち、第６の工程では、センサー基板１２には、遮光カバー１３が装着される。また、ＣＳリング１４２がＣＳリングホルダ１４１にねじ込まれて、所定のねじ込量に調節した後、ＣＳリングホルダ１４１とＣＳリング１４２とがその側面から固定用ネジでネジ止めされて固定される。
レンズホルダ１５の筒状部１５３がレンズマウント１４のＣＳリング１４２に挿通される。そして、ＣＳリングホルダ１４１の複数の孔１４３が取付パネル１７の複数の取付孔１７５のそれぞれ対応するものに位置決めされて、それぞれにネジを差し込み、各ネジをドライバ等で順次回転させることによって、レンズマウント１４が取付パネル１７に固定される。
さらに、レンズホルダ１５１の筒状部１５３を遮光カバー１３の位置決め凹部１３４に嵌め込むように、遮光カバー１３の装着されたセンサー基板１２が取付パネル１７の背面で位置決めされて、スペーサ１７７を介して取付パネル１７にネジ止めにより固定される。
その後、レンズホルダ１５がレンズマウント１４から抜き取られる。このとき、レンズホルダ１５は、レンズ交換型監視カメラ２０の部品としてではなく、レンズマウント１４を光軸調整した状態に位置決めするための治具として用いられることになる。
【００５２】
このようにして、取付パネル１７の前面には、交換型レンズ（図示せず）の装着されていないレンズマウント１４が固着され、固定的に取付けられる。また、取付パネル１７の背面には、遮光カバー１３の装着されたセンサー基板１２が固着され又は取付けられる。このようにして組み立てられたレンズ交換型監視カメラ２０が、図６に示される。
【００５３】
このとき、レンズホルダ１５の筒状部１５３を遮光カバー１３の位置決め凹部１３４に嵌め込むだけで、組立て段階又は製造段階において、光軸が調整されているので、光軸の調整を容易かつ迅速に行うことができる。また、レンズ交換型監視カメラ２０の現場設置の際には、交換型レンズ（図示せず）の光軸を調整する必要もない。
しかも、レンズ一体型カメラ１０とレンズ交換型監視カメラ２０の組立てにおいて、レンズホルダ１５の取外し作業を除いて、略同じような作業によって光軸の調整を行うことができるので、光軸の調整が容易かつ迅速に行え、組立て作業の効率化を図れる。
【００５４】
なお、上述のレンズ交換型監視カメラ２０の構成の説明および／または製造方法の説明では、取付パネル１７に対して、センサー基板１２とレンズマウント１４（およびレンズホルダ１５）を取付ける場合を説明したが、取付パネル１７を用いずに取付けてもよい。その場合の構成は、レンズ一体型監視カメラ１０の説明に関連して説明したとおりであるので、省略する。
【００５５】
そして、ユーザーは、レンズの無いレンズ交換型監視カメラ２０を購入した後、またはそれと同時に、市販されている交換型レンズ（図示せず）の中から、所望の倍率又はレンズ性能のものを選択して購入し、レンズ交換型監視カメラ２０に装着して使用することになる。
【００５６】
以上説明したように、レンズ一体型監視カメラ１０とレンズ交換型監視カメラ２０の構成部品を共用して光学系を共通化設計しているので、監視カメラの設置現場に合せて何れかを選択して設置することも可能となる。また、光学系を共通化設計することにより、光軸のずれを抑える構造にすることもできる。
【産業上の利用可能性】
【００５７】
この発明の監視カメラの製造方法および監視カメラは、組込型レンズが装着されるレンズ一体型監視カメラと、交換型レンズが着脱自在に装着されるレンズ交換型監視カメラの部品を共用できるとともに、部品を共用しても同じ光軸調整作業によって光軸を調整できるので、いわゆるボックス型監視カメラ用として産業上の利用意義が大きい。
【符号の説明】
【００５８】
１０    レンズ一体型監視カメラ
１１    撮像センサー
１２    センサー基板
１３    遮光カバー
１４    レンズマウント
１５    レンズホルダ
１６    組込型レンズ
１７    取付パネル
２０    レンズ交換型監視カメラ
【図１】
2014102331.tif 000003
【図２】
2014102331.tif 000004
【図３】
2014102331.tif 000005
【図４】
2014102331.tif 000006
【図５】
2014102331.tif 000007
【図６】
2014102331.tif 000008
【図７】
2014102331.tif 000009
【図８】
2014102331.tif 000010
【図９】
2014102331.tif 000011
【図１０】
2014102331.tif 000012